Podtech/llm-jp-corpus-v4-ja_patent huggingface dataset:
(57)【要約】      （修正有）【課題】医療施設における、二次感染の危険性を減らした自動洗浄乾燥機を提供する。【解決手段】約２０度傾斜させた円形洗浄槽１の中に噴射ノズル５から、円形洗浄槽１の半ばまで約４０℃に加温された洗浄液６を注入する。円形洗浄槽１の中を回転移動する器具１０には、洗浄液面に突入する際の衝撃、洗浄液面および液中を移動する時に生じる造波抵抗、洗浄液から出て回転移動する時の流液効果、洗浄液噴射ノズル５から噴射される洗浄液シャワーによる叩き洗い効果など、複数の物理的洗浄効果が生じる。すすぎ洗い作業終了後、アルコール噴霧ノズルから定量のアルコールを、器具１０に噴霧して付着水滴を加水アルコールにする。アルコール噴霧が終了し、ＨＥＰＡフィルターで除菌してから加温した温風を、送気口から円形洗浄槽１内に強く吹き込み、回転する器具に付着する加水アルコールを短時間にムラ無く蒸発乾燥させる。【選択図】図１
2012200725.tif 000002
【特許請求の範囲】
【請求項１】
円形洗浄槽の中に備えたターンテーブルに器具を固定して、円形洗浄槽の半ばまで入れた加温洗浄液中を回転させることにより、器具に複数の物理的洗浄効果を与える洗浄乾燥器。
【請求項２】
ターンテーブルの回転により、洗浄液中から露出して移動する器具に洗浄液を強く噴射し、物理的洗浄効果を追加した洗浄乾燥器。
【請求項３】
回転するターンテーブル上の、すすぎ洗いの水滴が附着した器具に、アルコールを一定量噴霧した後、ヘパフィルターで除菌した温風を吹き付けて、素早く十分な乾燥を自動で行う洗浄乾燥器。
【発明の詳細な説明】
【発明の詳細な説明】
【０００１】  本発明は、医療施設において使用される手術器具、処置器具、内視鏡などの医療器具に附着する汚染有機物などを、高度に除去し、短時間に乾燥する自動洗浄乾燥器である。
【０００２】  医療施設で使用する機器には血液や蛋白など附着するが、使用直後には、いちいち洗浄する時間が無いため乾燥固着してしまう、乾燥固着した有機物は超音波やディスインフェクターなどの自動洗浄装置のみでは十分除去できず、人手による剥離作業を前以て行なうなど、手間が掛かると共に作業者に対する感染の危険性がある、さらに複雑な洗浄作業ゆえに、洗浄滅菌済み器具の約３０％に有機物残留があるといわれる。
【０００３】  有機物が少々残留した器具でも、高圧滅菌すれば微生物は全て死滅する、しかしまれにではあるが、滅菌処理した器具を滅菌容器から出して使用準備している間に、器具に残留している有機物に、外部から偶然附着した微生物（細菌）が、有機物を糧として増殖し、その器具を使用した患者に感染して発症させることがある。
【０００４】  救急急命センターや救急外来など、緊急性を要する患者を処置する施設では、患者が感染性微生物陽性であるか否か事前に知ることが出来ない。
それら患者には、ＨＩＶやＨＣＶなど高感染性微生物陽性の可能性があるが、それに使用した医療器具の洗浄消毒に付いて、特に注意した設備の無いのが現状である。
【０００５】  本発明は、洗浄結果にバラツキを生じたり、作業者へ感染する危険性のある人手を排し、医療器具使用現場で洗浄手技を必要とせず、直ちに短時間で十分な洗浄及び乾燥が可能な自動洗浄乾燥器である。
【０００６】  本発明は、２０度以上傾斜した円型洗浄槽１の内部に取り付けたターンテーブル２に器具１０を固定し、モーター３により駆動されるターンテーブル２を回転させながら、洗浄液噴射ノズル５によって、円形洗浄槽１の中程まで約４０℃に加温した洗浄液６を入れる。
ターンテーブル２の回転によって、円形洗浄槽１内を移動する器具１０は、洗浄液面へ入る時の衝撃、液面および液中を移動することによって生じる造波抵抗、液面から出て回転移動する時の流液効果、洗浄液噴射ノズル５からの洗浄液シャワーによる角度の変わる叩き洗い効果など、複数の物理的洗浄効果が発揮される。
【０００７】  これら複数の物理的効果を利用した洗浄は、ＣＣＤや精密レンズを装備する内視鏡など振動衝撃に弱い精密機器や、柔らかいゴム製品などに超音波洗浄が不適であること、ディスインフェクターの洗剤シャワーによる洗いムラなどを克服する方法である。
【０００８】  本発明は、洗浄液６による洗剤洗浄を定時間行ってから排液し、続いて器具１０に附着する洗浄液６を除去するため、温水によるオーバーフローすすぎ洗いを、温水を交換して２回以上行う。
規定のすすぎ洗いが終了して温水を排出した後、回転するターンテーブル２に固定した器具１０に、アルコール噴射ノズル７からアルコールを一定量噴霧して、附着している水滴と混和させて加水アルコールとする。
次にヘパフィルターで除菌した外気をヒーターで４０〜５０℃に加温して送気口８から強力に送入し、器具１０に附着する加水アルコールを短時間にムラ無く強制乾燥させる。
これにより、水滴拭取りや乾燥時に発生しやすい微生物再汚染を防ぐことが出来る。
【図面の簡単な説明】
【図１】  円形洗浄槽とターンテーブルの断面図である。
【図２】  円形洗浄槽とターンテーブルの平面図である。
【符号の説明】１  円形洗浄槽
２  ターンテーブル
３  モーター
４  蓋
５  洗浄液噴射ノズル
６  洗浄液
７  アルコール噴霧ノズル
８  送気口
９  排気口
【図１】
2012200725.tif 000003
【図２】
2012200725.tif 000004
(57)【要約】      （修正有）【課題】過去に光合成により、有機物に固定された化石燃料等の炭素が、燃焼等により二酸化炭素として大気に戻り、地球温暖化問題を引き起こしているため、大気中の二酸化炭素の量を削減する。【解決手段】有機物が炭化される際、分解熱として吸熱反応となる為、熱源として化石燃料が必要となり、二酸化炭素が排出される。しかし、炭化は、最初に温度を加えると後は自己発熱により炭化が進行する。その為、生成物としての無機炭素の二酸化炭素換算量よりも、炭化物製造の際の熱量や発生する一酸化二窒素（Ｎ２Ｏ）等の温暖化ガスの二酸化炭素換算値が少ない炭化炉により、製造される炭化製品の二酸化炭素の排出量は、生成物としての無機炭素の二酸化炭素換算量よりも少なくなる。その差が、土壌固定としての大気中から削減できる二酸化炭素の有効量となり、大気中の二酸化炭素の削減する。【選択図】なし【特許請求の範囲】
【請求項１】
有機物の炭化は、最初に温度を加えると後は自己発熱により炭化が進行する。少ない熱量で無機質炭素が生成される。有機系廃棄物等の有機物を炭化炉により炭化製品とするに当り、炭化製品製造の際の熱量や発生する一酸化二窒素（Ｎ２Ｏ）等の温暖化ガスの二酸化炭素換算値が、炭化製品製造の二酸化炭素排出量となる。炭化製品としての無機質炭素の二酸化炭素換算量よりも、炭化製品製造の二酸化炭素排出量が少ない炭化製品は、その差が炭化製品に固定された二酸化炭素となる。その様な製造方法によって作られた炭化製品（無機質炭素）が、土壌改良材などとして有効利用され、土壌に固定されると永続性のある大気中の二酸化炭素の削減となる。大気中の二酸化炭素の削減により、地球温暖化防止に寄与できる事を特徴とする有機物の炭化による無機質炭素素材としての二酸化炭素の固定方法。
【請求項２】
無機質炭素素材は、農業用地の改善、建設用土の改善、建設残土の改善等に有効利用し、土壌中に安定に固定できる。請求項１の方法による有機物の炭素を無機質の炭素として、土壌固定する事は、大気中の二酸化炭素の削減となる。大気中の二酸化炭素の削減により、地球温暖化防止に寄与できる事を特徴とする有機物の炭化による無機質炭素素材としての二酸化炭素の固定方法。
【発明の詳細な説明】
【技術分野】
【０００１】  本発明は、有機物系廃棄物等の有機物を炭化する時に必要な熱量や温暖化ガスとしての二酸化炭素（ＣＯ２）換算排出量は、有機物の熱分解により、炭化され生成される炭素の二酸化炭素換算量よりも少なく、その差を、土壌改良材等の無機質炭素素材として利用する二酸化炭素の固定方法に関する。
【背景技術】
【０００２】  残飯、剪定枝、下水汚泥等の有機物系の廃棄物の処理方法として、炭化する事により安定化し、様々に再利用する従来技術がある。また、炭焼き等の有機物の炭化技術がある。【０００３】  これらの技術の生成物である炭化製品は、脱臭剤利用や緑農地に肥料等として利用される。
【発明の概要】
【発明が解決しようとする課題】
【０００４】  有機物における炭素は、太陽の電磁波をエネルギーとして、光合成により、空気中の二酸化炭素が固定されたものである。その炭素は分解生物の呼吸作用等によって分解され、二酸化炭素として大気に戻る。また、分解されなかった一部は、土壌に固定される。過去に固定された化石燃料等の炭素が、燃焼等により二酸化炭素として大気に戻り、近年急激な大気中の二酸化炭素の量を増やし、地球温暖化問題を引き起こしている。大気中の二酸化炭素の量を削減しなければならない。【０００５】  本発明は、有機物を炭化して、無機質の炭素として安定化させ、無機質炭素素材として利用し、土壌に固定し、大気中に放出せず、永続性を維持し、大気中の二酸化炭素削減に寄与しようと言うものである。
【問題を解決する為の手段】
【０００６】  有機物が炭化される際、分解熱として吸熱反応となる為、熱源として化石燃料が必要となり、二酸化炭素が排出される。しかし、炭化は、最初に温度を加えると後は自己発熱により炭化が進行する。その為、二酸化炭素の排出量は生成物としての無機炭素の二酸化炭素換算量よりも少なくなる事がある。
【０００７】  上述の目的の達成の為には、生成物としての無機炭素の二酸化炭素換算量よりも、炭化物製造の際の熱量や発生する一酸化二窒素（Ｎ２Ｏ）等の温暖化ガスの二酸化炭素換算値が少ない炭化炉により、製造される必要がある。
【０００８】  有機物の含水率が少ない程、炭化する熱量すなわち二酸化炭素の排出量は少なくなる。利用が予想される有機系廃棄物の中で、効率が悪い（含水率の高い）脱水下水汚泥を例にとると（財）下水道新技術推進機構によれば、実験炭化炉のＣＯ２換算排出量は、約２００ＫｇＣＯ２／ｗｅｔ−ｔ（含水率８０％）とされる。炭化製品の炭素の含有率は４２〜４８％とされる。これらの数値をリーケージ等を含まず（少量と考えられる為）、炭素含有率４５％で単純計算すると、脱水下水汚泥（含水率８０％）１トン当りの炭化製品の炭素量は、３３０ＫｇＣＯ２となり、差し引き約１３０ＫｇＣＯ２が土壌固定としての二酸化炭素の有効量となり、土壌に固定されると、大気中の二酸化炭素の削減量となる。大気中の二酸化炭素の削減により、地球温暖化防止に寄与できる。
【発明の効果】
【０００９】  炭素は安定な物質である為、炭素製品を土壌改良材として利用する事により、上述の有機系廃棄物からの炭素製品生成に必要な熱量と炭素製品のＣＯ２換算排出量の差を、大気中から固定された二酸化炭素として、土壌に炭素として永続性を持った固定ができる。その分、大気からの二酸化炭素が削除でき、地球温暖化対策に寄与できる。また、カーボン・クレジットとしての商品価値を持つ。
【００１０】  無機質炭素素材は、その物理特性として、▲１▼土壌の透水性の改善、▲２▼土壌の保水性の改善、▲３▼土壌の通気性の改善などがある。その為、農業用地の改善、建設用土の改善、建設残土の改善等に有効利用される。
(57)【要約】【課題】固定子に磁石がなくそのままの同極でも回転が軽いが磁力を固定子に持たせると回転がすごく軽くなります。固定子と固定子の間に同極の磁石を配置し回転子磁石も固定子に反発する磁石を向き合わせて回転させます。また、磁石と固定子を合体させても良く固定子は磁石の倍が最良です。また、異極の間に固定子を設け、回転子コイルからの電流を固定子コイルを通すと電流を直結しても負荷がありません。ソレノイドの輪の発電機の両枠に利用して回すと負荷がありません。また、コイルを巻くのは片側だけで済むため回転も軽く最良です。【解決の手段】固定子の間に磁石を置くがこれを横向きにした方が小形で長くするとコイルが多く巻く事が出来るし回転も楽です。固定子の間に置く磁石の磁力を回転子の磁力に及ばない様にする又軽くするには固定子と固定子磁石の磁力のバランスが大事です。【選択図】図１
2012200125.tif 000002
【特許請求の範囲】
【請求項１】
固定子に同極の磁力を持たせ、その固定子に反発する回転子磁石を向き合わせて回転させる。
【請求項２】
固定子に磁石を付け磁石付固定子とする。
【請求項３】
異極の間に固定子を設け回転子コイルの電流を固定子コイルを通すことで回転の負荷を取ることが出来る。
【発明の詳細な説明】
【技術分野】
【０００１】固定子に磁力を持たせる発電機
【背景技術】
【０００２】現在の発電機は、電気が多く出ると、力がかかります。
これを少しでも軽く回り電気が多くなっても  負荷が少しで済む様に考案しました。
【発明の概要】
【発明を解決しようとする課題】
【０００３】発電機は回転数が多くなると重くなります  空回転の時と電流を直結した時とでは半分の回転になります。これを軽く回り電気が多くなる様にする事が省エネになる又丸形の車の発電機などは、極を多くしてありますが、コイルがはみだし半分の磁力が無駄になっています。
【課題を解決する手段】
【０００４】磁石が鉄心に吸引され離れにくいそこで固定子と固定子の間に同極の磁石又は磁石リングを配置して磁力を持たせる回転子磁石も固定子に反発する同極を向き合わせて回転させる電気を多くする為固定子８個に磁石４個が最良です。
【０００５】固定子に磁石を合体させ磁石付固定子にして配置  回転子磁石も固定子に反発する同極を向き合わせて回転させると空回転の時より電流を直結すると回転は８０％以上となります。
【０００６】異極の磁石の間に固定子を設け回転子を向き合わせて回し回転子コイルから出る電流を固定子コイルを通すことで負荷がなくなります。
これは固定子の磁力が回転を助け又、異極の磁石を設けたことで波形がずれて固定子の中心が最大となる為です。
これをソレノイド発電に利用して両枠に設け片側だけ固定子にコイルを巻きソレノイドの輪の回転子から出る電流を固定子コイルを通すと無負荷となり回転子も軽く、コイルも片側だけで済み最良です。
【発明の効果】
【実施例】
【０００７】（図１）は固定子（１）と固定子（１）の間に磁石（６）を置くか又は固定子（１）を多くする時は磁石（６）のかわりに固定子（１）の内側に磁石のリングを置く同極を配置  その上に鉄板（４）を付け回転子磁石（２）の磁力を押さえる回転子磁石（２）も固定子に反発する磁石を向き合わせて回転させる出る電流にソレノイドコイル（８）を付ける。【０００８】（図２）は固定子（１）に磁石（６）を合体させて磁石付固定子（１）配置、反発する回転子磁石（２）を向き合わせて回転させ出る電流にソレノイドコイル（８）を」付ける【０００９】（図３）は固定子（１）と固定子（１）の間に磁石（６）の異極を設け枠（５）に並べ、回転子コイル（９）を向き合わせて回すと回転子コイル（９）から出る電流は回転軸（３）を通り、接点導体（１０）を経て固定子コイル（１）に入り外へ出る。
また、これをソレノイドの輪の発電機の両枠（５）に異極の間に固定子（１）を設け、ソレノイドの輪（９）の回転子（９）から出る電流を固定子（１）を通す。
片側固定子（１）にコイルを巻かなくて済むため回転も軽い。
【産業上の利用可能性】
【００１０】力のかからない発電が出来ると自家発電や充電機など色々な事に利用できます。回転が軽く電流を直結しても空回転の８０％と以上の回転が出来ます。
【図面の簡単な説明】
【００１１】
【図１】固定子の間に磁石を置いた場合の（Ａ）は側面図で、（Ｂ）は正面図
【図２】磁石と固定子を合体した場合の（Ａ）は側面図で、（Ｂ）は正面図
【図３】異極の間に固定子を設けた発電機の（Ａ）は側面図で、（Ｂ）はソレノイドを利用した場合の発電機の側面図．
【符号の説明】
【００１２】▲１▼  固定子、磁石付固定子
▲２▼  回転子磁石
▲３▼  回転軸
▲４▼  鉄板
▲５▼  枠
▲６▼  磁石又は磁石リング
▲７▼  交流
▲８▼  ソレノイドコイル
▲９▼  回転子コイル、ソレノイドの輪の回転子
▲１０▼  接点導体
【図１】
2012200125.tif 000003
【図２】
2012200125.tif 000004
【図３】
2012200125.tif 000005
(57)【要約】      （修正有）【課題】従来の構造物は不安定でビニール張りがたるみ、仕上がりが悪いため、これらを解決する。【解決手段】アーチ１の必要部分に横棒を受け入れる窪みを作ることで、組み立てを容易にし、ビニールの弛みをなくし、水の溜まりもなくなる。各嵌め込み部分を縛る。横の渡し棒にあけるかわりに、横の渡し棒に螺子をセットして、アームの必要部分に穴をあけ、横棒のネジにナットで締め付ける。両方の組み合わせで強く安定させることが出来る。【選択図】図１
2012200253.tif 000002
【特許請求の範囲】
【請求項１】
アーチに窪みを作り、窪みの中心部分に⊥を作り、横棒を渡すハウスです。
アーチの⊥部分と横棒の穴に噛み合わせで作るこのハウスは、左右に揺れるのを防ぐと同時に、ビニールの張りを簡単にするものである。
2012200253.tif 000003
な分だけ延長することを可能にします。
【発明の詳細な説明】
【技術分野】
【０００１】この発明は、色々のハウスを簡単に組立てるものである。
【背景技術】
【０００２】従来の組み立て構造より安定するものである。
【先行技術文献】
【０００３】
【特許文献１】特開８−２９７２５
【非特許文献１】
【発明の概要】
【発明が解決しようとする課題】
【０００４】従来の構造物は不安定でビニール張りがたるみ、仕上がりが悪いため、それらを解決するためである。
【課題を解決するための手段】
【０００５】アーチ型の骨組みの頂点と側面に窪みを設けるものである。
【発明の効果】
【０００６】窪みを設けることにより、アーチと横棒が組み合わされて強くなり、ビニールの張りも美しく仕上がるものである。大きなビニールハウスにも適用可能とするものである。
【図面の簡単な説明】
【０００７】
【図１】本発明の正面図である。
【図２】本発明の断面図である。
【発明を実施するための形態】
【０００８】アーチ軸（１）の上部に窪み、窪みの中心（２）⊥を設ける。側面にも上部と同様の窪み⊥を儲け（２）の⊥の部分に横の棒（３）を噛み合わせるものである。
【符号の説明】
【０００９】１  アーチ
２  アーチに設ける⊥部分
３  アーチに渡す横棒
【図１】
2012200253.tif 000004
【図２】
2012200253.tif 000005